(57)【要約】【課題】配信地域の境界付近等において緊急情報等の配信情報の配信漏れが生じることを抑制する。【解決手段】基地局を介して無線端末へ配信するための配信情報と、配信情報を配信する対象となる地域を指定する配信先指定情報とを取得する取得部１３１と、取得部１３１が取得した配信情報を配信する対象となる地域である配信地域を特定する特定部１３２と、特定部１３２が特定した配信地域に電波が届く可能性がある基地局へ配信情報を送信する送信部と、を備える。送信部は、特定部１３２が特定した配信地域に関連付けられた基地局として、配信地域に設置されている基地局へ配信情報を送信してもよい。【選択図】図２
2019153907.tif 000002
【特許請求の範囲】
【請求項１】
基地局を介して無線端末へ配信するための配信情報と、前記配信情報を配信する対象となる地域を指定する配信先指定情報とを取得する取得部と、
前記配信先指定情報に基づいて、前記配信情報を配信する対象となる地域である配信地域を特定する特定部と、
前記特定部が特定した前記配信地域に電波が届く可能性がある複数の基地局へ前記配信情報を送信する送信部と、
を備える情報送信装置。
【請求項２】
前記送信部は、前記特定部が特定した前記配信地域に関連付けられた前記複数の基地局の一つとして、前記配信地域に設置されている基地局へ前記配信情報を送信する、
請求項１に記載の情報送信装置。
【請求項３】
前記送信部は、前記特定部が特定した前記配信地域に関連付けられた前記複数の基地局の一つとして、前記特定部が特定した前記配信地域に隣接する他の配信地域に設置されている基地局へ前記配信情報を送信する、
請求項１又は２に記載の情報送信装置。
【請求項４】
前記送信部は、前記特定部が特定した前記配信地域に関連付けられた前記複数の基地局の一つとして、前記特定部が特定した前記配信地域に隣接する他の配信地域に少なくとも一つのセクタの一部が含まれる基地局へ前記配信情報を送信する、
請求項１から３のいずれか一項に記載の情報送信装置。
【請求項５】
前記送信部は、前記特定部が特定した前記配信地域に関連付けられた基地局として、前記配信地域の少なくとも一部を送信電波の送信範囲として含む基地局へ前記配信情報を送信する、
請求項１から４のいずれか一項に記載の情報送信装置。
【請求項６】
前記送信部は、第１配信地域を指定する第１配信先指定情報を含む前記配信情報と、前記第１配信地域と異なる第２配信地域を指定する第２配信先指定情報を含む前記配信情報とを前記取得部が取得した場合に、前記第２配信地域に設置されている基地局への前記配信情報の重複送信を行わない、
請求項１から５のいずれか一項に記載の情報送信装置。
【請求項７】
前記取得部は、地理的名称に基づいて指定された前記配信先指定情報を取得する、
請求項１から６のいずれか一項に記載の情報送信装置。
【請求項８】
前記取得部は、前記基地局の位置を示す位置情報を取得し、
前記情報送信装置は、前記位置情報に基づいて、前記基地局を特定するための基地局識別情報と、前記基地局が設置されている前記配信地域に対応する第１配信先指定情報と、前記配信地域に隣接する他の配信地域に対応する第２配信先指定情報と、を関連付けて記憶部に記憶させる記憶制御部をさらに有する、
請求項１から７のいずれか一項に記載の情報送信装置。
【請求項９】
前記記憶制御部は、前記基地局に関連付けて電波の送信可能範囲を前記記憶部に記憶させ、前記基地局が送信した前記配信情報を受信した前記無線端末の位置に基づいて、前記記憶部が前記基地局に関連付けて記憶している前記送信可能範囲を更新する、
請求項８に記載の情報送信装置。
【請求項１０】
基地局を介して無線端末へ配信するための配信情報と、前記配信情報を配信する対象となる地域を指定する配信先指定情報とを取得するステップと、
配信先指定情報に基づいて、前記配信情報を配信する対象となる地域である配信地域を特定するステップと、
特定した前記配信地域に電波が届く可能性がある複数の基地局へ前記配信情報を送信するステップと、
を備える情報送信方法。
【請求項１１】
コンピュータを、
基地局を介して無線端末へ配信するための配信情報と、前記配信情報を配信する対象となる地域を指定する配信先指定情報とを取得する取得部、
前記配信先指定情報に基づいて、前記配信情報を配信する対象となる地域である配信地域を特定する特定部、及び
前記特定部が特定した前記配信地域に電波が届く可能性がある複数の基地局へ前記配信情報を送信する送信部、
として機能させるためのプログラム。
【発明の詳細な説明】
【技術分野】
【０００１】
本発明は、配信情報を送信するための情報送信装置、情報送信方法及びプログラムに関する。
【背景技術】
【０００２】
無線基地局から緊急速報を配信することが行われている。特許文献１には、緊急速報を配信する領域を指定する配信領域情報であるＥＡＩＤ（Emergency Area Identification）を含む緊急速報を受信し、受信したＥＡＩＤに対応する基地局に緊急速報を送信するゲートウェイ装置が記載されている。
【先行技術文献】
【特許文献】
【０００３】
【特許文献１】国際公開第２０１４／０２７４３１号
【発明の概要】
【発明が解決しようとする課題】
【０００４】
緊急情報を配信するための基地局は、基地局の設置場所に基づいて指定される。例えば、Ａ市内に設置された各基地局には、同一のＥＡＩＤが割り当てられ、このＥＡＩＤを指定する緊急情報は、Ａ市内の各基地局からＡ市内の住民に配信される。一方、Ａ市と、他の地域との境界付近では、Ａ市内の住民の携帯端末が他の地域の基地局に接続していることがある。この場合、Ａ市内の各基地局のＥＡＩＤを緊急情報の配信先として指定しても、他の地域の基地局に接続している携帯端末の住民には緊急情報が送信されないという問題があった。
【０００５】
そこで、本発明は、上記の問題に鑑みてなされたものであり、配信地域の境界付近等において緊急情報等の配信情報の配信漏れが生じることを抑制することができる情報送信装置、情報送信方法及びプログラムを提供することを目的とする。
【課題を解決するための手段】
【０００６】
本発明の第１の態様の情報送信装置は、基地局を介して無線端末へ配信するための配信情報と、前記配信情報を配信する対象となる地域を指定する配信先指定情報とを取得する取得部と、前記配信先指定情報に基づいて、前記配信情報を配信する対象となる地域である配信地域を特定する特定部と、前記特定部が特定した前記配信地域に電波が届く可能性がある複数の基地局へ前記配信情報を送信する送信部と、を備える。
【０００７】
前記送信部は、前記特定部が特定した前記配信地域に関連付けられた前記複数の基地局の一つとして、前記配信地域に設置されている基地局へ前記配信情報を送信してもよい。
【０００８】
前記送信部は、前記特定部が特定した前記配信地域に関連付けられた前記複数の基地局の一つとして、前記特定部が特定した前記配信地域に隣接する他の配信地域に設置されている基地局へ前記配信情報を送信してもよい。
【０００９】
前記送信部は、前記特定部が特定した前記配信地域に関連付けられた前記複数の基地局の一つとして、前記特定部が特定した前記配信地域に隣接する他の配信地域に少なくとも一つのセクタの一部が含まれる基地局へ前記配信情報を送信してもよい。
【００１０】
前記送信部は、前記特定部が特定した前記配信地域に関連付けられた基地局として、前記配信地域の少なくとも一部を送信電波の送信範囲として含む基地局へ前記配信情報を送信してもよい。
【００１１】
前記送信部は、第１配信地域を指定する第１配信先指定情報を含む前記配信情報と、前記第１配信地域と異なる第２配信地域を指定する第２配信先指定情報を含む前記配信情報とを前記取得部が取得した場合に、前記第２配信地域に設置されている基地局への前記配信情報の重複送信を行わなくてもよい。
【００１２】
前記取得部は、地理的名称に基づいて指定された前記配信先指定情報を取得してもよい。また、前記取得部は、前記基地局の位置を示す位置情報を取得し、前記情報送信装置は、前記位置情報に基づいて、前記基地局を特定するための基地局識別情報と、前記基地局が設置されている前記配信地域に対応する第１配信先指定情報と、前記配信地域に隣接する他の配信地域に対応する第２配信先指定情報と、を関連付けて記憶部に記憶させる記憶制御部をさらに有してもよい。
【００１３】
前記記憶制御部は、前記基地局に関連付けて電波の送信可能範囲を前記記憶部に記憶させ、前記基地局が送信した前記配信情報を受信した前記無線端末の位置に基づいて、前記記憶部が前記基地局に関連付けて記憶している前記送信可能範囲を更新してもよい。
【００１４】
本発明の第２の態様の情報送信方法は、基地局を介して無線端末へ配信するための配信情報と、前記配信情報を配信する対象となる地域を指定する配信先指定情報とを取得するステップと、配信先指定情報に基づいて、前記配信情報を配信する対象となる地域である配信地域を特定するステップと、特定した前記配信地域に電波が届く可能性がある複数の基地局へ前記配信情報を送信するステップと、を備える。
【００１５】
本発明の第３の態様のプログラムは、コンピュータを、基地局を介して無線端末へ配信するための配信情報と、前記配信情報を配信する対象となる地域を指定する配信先指定情報とを取得する取得部、前記配信先指定情報に基づいて、前記配信情報を配信する対象となる地域である配信地域を特定する特定部、及び前記特定部が特定した前記配信地域に電波が届く可能性がある複数の基地局へ前記配信情報を送信する送信部、として機能させる。
【発明の効果】
【００１６】
本発明によれば、配信地域の境界付近等において緊急情報等の配信情報の配信漏れが生じることを抑制することができるという効果を奏する。
【図面の簡単な説明】
【００１７】
【図１】情報送信システムの概要について説明するための図である。
【図２】情報送信装置の構成を示す図である。
【図３】基地局の位置を示す基地局情報テーブルを示す図である。
【図４】配信先指定情報と配信エリアとの関係を示す配信エリア情報テーブルを示す図である。
【図５】各基地局が配信する対象となる配信情報を選択するための配信先指定情報テーブルを示す図である。
【図６】制御部の動作手順を示すフローチャートである。
【図７】配信先指定情報テーブルを作成する手順を示すシーケンス図である。
【発明を実施するための形態】
【００１８】
［情報送信システムＳの概要］
図１は、本発明の実施形態に係る情報送信システムＳの概要について説明するための図である。情報送信システムＳは、住民の携帯端末に配信情報を配信するためのシステムである。情報送信システムＳは、複数の情報発信装置１（１ａ、１ｂ、・・・）と、情報送信装置１００と、携帯電話網の複数の基地局２００とを備える。
【００１９】
情報発信装置１は、行政機関（例えば国の省庁や市区町村の役所）が管理するサーバであり、行政機関が管轄するエリアの住民に通知するべき配信情報を発信する。なお、住民は、行政機関が管轄するエリアに居住している人に限定されず、エリア内に一時的に在圏する旅行者や移動者を含む。配信情報は、例えば地震又は台風等の災害が発生する可能性があることを警告したり、地震又は事故が発生したことを警告したりすることを目的とする緊急速報であるが、配信情報は緊急速報に限られず、住民に通知する任意の情報であってよい。
【００２０】
情報発信装置１の管理者は、例えば河川名や市町村名等のような地理的名称と、配信情報とを関連付けて情報発信装置１に入力する。情報発信装置１は、入力された地理的名称に対応する配信地域に割り当てられた配信先指定情報であるＥＡＩＤを含む配信情報を情報送信装置１００に送信する。
【００２１】
情報送信装置１００は、情報発信装置１から受信した配信情報を、配信情報を配信するべきエリアに対応する基地局２００に送信するための装置である。情報送信装置１００は、例えばＬＴＥ（Long Term Evolution）網におけるＭＭＥ（Mobility Management Entity）に含まれていてもよい。情報送信装置１００は、情報発信装置１から配信情報を受信すると、配信情報に含まれている配信先指定情報であるＥＡＩＤを参照し、配信情報に含まれているＥＡＩＤに対応する配信地域に電波が届く可能性がある基地局２００に配信情報を送信する。ＥＡＩＤに対応する配信地域に電波が届く可能性がある基地局２００は、ＥＡＩＤに対応する配信地域の境界線から、電波の到達距離の最大値以内の距離に設置されている基地局２００である。ＥＡＩＤに対応する配信地域に電波が届く可能性がある基地局２００は、例えば、ＥＡＩＤに対応する配信地域に隣接する地域に設置された基地局２００である。
【００２２】
複数の基地局２００のそれぞれは、自身が設置されている地域に割り当てられた第１配信先指定情報であるＥＡＩＤ（１）と、自身が送信する電波が届く可能性がある地域（例えば隣接する地域）に割り当てられた第２配信先指定情報であるＥＡＩＤ（２）とに関連付けられている。図１に示す例の場合、Ａ市に設置されている基地局２００ａは、Ａ市に割り当てられている１００がＥＡＩＤ（１）として登録されており、Ａ市に隣接するＢ市に割り当てられている１０１がＥＡＩＤ（２）として登録されている。
【００２３】
一方、Ｂ市に設置されている基地局２００ｂ及び基地局２００ｃは、Ｂ市に割り当てられている１０１がＥＡＩＤ（１）として登録されており、Ｂ市に隣接するＡ市に割り当てられている１００がＥＡＩＤ（２）として登録されている。Ｃ市に設置されている基地局２００ｄは、Ｃ市に割り当てられている１０２がＥＡＩＤ（１）として登録されており、Ｃ市に隣接するＢ市に割り当てられている１０１がＥＡＩＤ（２）として登録されている。
【００２４】
情報送信装置１００は、例えば図１に示すように、Ａ市に割り当てられたＥＡＩＤ１００が含まれている配信情報を情報発信装置１から受信した場合に、ＥＡＩＤ（１）又はＥＡＩＤ（２）として１００が登録されている基地局２００ａ、２００ｂ、２００ｃに配信情報を送信する。一方、情報送信装置１００は、ＥＡＩＤ（１）又はＥＡＩＤ（２）として１００が登録されていない基地局２００ｄには配信情報を送信しない。本実施の形態に係る情報送信装置１００は、Ａ市内に設置されている基地局２００ａだけでなく、Ａ市に隣接するＢ市のように、Ａ市のエリアにいる住民の携帯端末が電波を受信する可能性がある基地局２００ｂ、２００ｃに対しても、Ａ市の住民宛ての配信情報を送信することを特徴としている。
【００２５】
基地局２００は、携帯電話網の無線回線を介して、住民が使用する無線端末である携帯端末に配信情報を送信する。情報送信装置１００が、基地局２００ｂ、２００ｃに対しても配信情報を送信するので、基地局２００ａから電波を受信している住民Ｕ１だけでなく、Ｂ市の近くに存在し、基地局２００ｂから電波を受信している住民Ｕ２も、Ａ市宛ての配信情報を受信することができる。
以下、情報送信装置１００の構成及び動作について詳細に説明する。
【００２６】
［情報送信装置１００の構成］
図２は、情報送信装置１００の構成を示す図である。情報送信装置１００は、通信部１１、記憶部１２及び制御部１３を備える。通信部１１は、基地局２００及び情報発信装置１と通信するための通信インターフェースである。記憶部１２は、ＲＯＭ（Read Only Memory）、ＲＡＭ（Random Access Memory）及びハードディスク等の記憶媒体である。記憶部１２は、制御部１３が実行するプログラムを記憶している。
【００２７】
制御部１３は、例えばＣＰＵ（Central Processing Unit）である。制御部１３は、記憶部１２に記憶されたプログラムを実行することにより、取得部１３１、特定部１３２、通信制御部１３３及び記憶制御部１３４として機能する。
【００２８】
取得部１３１は、通信部１１を介して、基地局２００を介して携帯端末へ配信するための配信情報と、配信情報を配信する対象となる地域を指定する配信先指定情報としてのＥＡＩＤとを取得する。取得部１３１は、例えば、地理的名称に基づいて指定されたＥＡＩＤを取得する。取得部１３１は、例えば、配信情報を取得すると、配信情報に含まれているＥＡＩＤを抽出する。取得部１３１は、抽出したＥＡＩＤを特定部１３２に通知する。
【００２９】
また、取得部１３１は、携帯電話事業者の管理者のコンピュータ（不図示）から送信された各種の設定用情報を取得する。取得部１３１は、例えば、ＥＡＩＤに関連付けて、配信地域を示す緯度・経度情報等の配信エリア情報を取得する。また、取得部１３１は、各基地局２００に関連付けて登録するＥＡＩＤを取得する。取得部１３１は、例えば、新たな基地局２００が設置された際に携帯電話事業者の管理者のコンピュータから送信されたＥＡＩＤを取得する。取得部１３１は、携帯電話事業者の管理者のコンピュータから取得した設定用情報を記憶制御部１３４に通知することにより、設定用情報を記憶部１２に記憶させる。
【００３０】
特定部１３２は、取得部１３１が取得した配信先特定情報であるＥＡＩＤに基づいて、取得部１３１が取得した配信情報を配信する対象となる配信地域を特定する。図１に示す例の場合、配信情報に含まれているＥＡＩＤがＡ市に対応する１００であることから、特定部１３２は、配信地域がＡ市であることを特定する。特定部１３２は、特定した配信地域を通信制御部１３３に通知する。特定部１３２は、配信地域を示す情報として、取得部１３１が取得したＥＡＩＤを通信制御部１３３に通知してもよい。
【００３１】
通信制御部１３３は、配信情報を送信する送信部として機能し、特定部１３２が特定した配信地域に電波が届く可能性がある複数の基地局２００へ配信情報を送信する。通信制御部１３３の機能の詳細については後述する。
【００３２】
記憶制御部１３４は、記憶部１２に各種の情報を記憶させる。記憶制御部１３４は、例えば、ＥＡＩＤと配信地域を示す配信エリア情報とを関連付けて、配信エリア情報テーブルとして記憶部１２に記憶させる。取得部１３１は、例えば、携帯電話事業者の管理者がコンピュータにおいて入力したＥＡＩＤと配信エリア情報とを取得し、記憶制御部１３４は、取得部１３１が取得したＥＡＩＤと配信エリア情報とを関連付けて記憶部１２に記憶させる。
【００３３】
また、記憶制御部１３４は、基地局２００の位置を示す位置情報に基づいて、基地局２００を特定するための基地局識別情報である基地局ＩＤと、基地局２００が設置されている配信地域に対応する第１配信先指定情報であるＥＡＩＤ（１）と、当該配信地域に隣接する他の配信地域に対応する第２配信先指定情報であるＥＡＩＤ（２）と、を関連付けて配信先指定情報テーブルとして記憶部１２に記憶させる。
【００３４】
図３から図５は、記憶部１２に記憶されている情報の例を示す図である。図３は、基地局２００の位置を示す基地局情報テーブルを示す図である。基地局情報テーブルにおいては、基地局ＩＤと基地局２００の位置情報とが関連付けられている。基地局２００の位置情報は、例えば基地局２００でＧＰＳ（Global Positioning System）衛星から受信した電波に基づいて特定される緯度・経度情報である。
【００３５】
図４は、配信先指定情報と配信エリアとの関係を示す配信エリア情報テーブルを示す図である。配信エリア情報テーブルにおいては、配信先指定情報の一例であるＥＡＩＤと、当該ＥＡＩＤが含まれる配信情報を配信する対象となるエリアを特定するための緯度・経度情報が含まれている。
【００３６】
図５は、各基地局２００が配信する対象となる配信情報を選択するための配信先指定情報テーブルを示す図である。配信先指定情報テーブルにおいては、基地局ＩＤと複数のＥＡＩＤとが関連付けられている。上述のとおり、ＥＡＩＤ（１）は、基地局２００が設置された市区町村に対応する第１配信先指定情報である。例えば基地局２００ａの場合、第１配信先指定情報は１００である。
【００３７】
ＥＡＩＤ（２）は、基地局２００が送信する電波が届く可能性がある送信可能範囲を含むエリアのうち、第１配信先指定情報に対応するエリアと異なるエリアに割り当てられた第２配信先指定情報である。例えば基地局２００ａの場合、第２配信先指定情報は、隣接するＢ市に割り当てられたＥＡＩＤである１０１である。
【００３８】
ＥＡＩＤ（２）には、基地局２００の少なくとも一つのセクタの一部が含まれているエリアに割り当てられたＥＡＩＤが含まれてもよい。例えば、基地局２００ａが複数のセクタを有しており、一部のセクタがＢ市のエリアに含まれている場合、基地局２００ａに対応するＥＡＩＤ（２）にはＢ市に割り当てられたＥＡＩＤである１０１が含まれることになる。なお、配信先指定情報テーブルにおいては、１つの基地局ＩＤに３つ以上のＥＡＩＤが関連付けられていてもよい。
【００３９】
通信制御部１３３は、特定部１３２が特定した配信地域（以下、第１配信地域という場合がある）に関連付けられた基地局２００として、当該配信地域に設置されている基地局２００へ配信情報を送信する。通信制御部１３３は、例えば配信先指定情報テーブルにおける第１配信先指定情報としてのＥＡＩＤ（１）を参照することにより、特定部１３２が特定した配信地域に設置されている基地局２００を特定することができる。図５に示す例の場合、通信制御部１３３は、特定部１３２が配信地域としてＥＡＩＤ１００に対応するＡ市を特定した場合、ＥＡＩＤ（１）に１００が登録されている基地局２００ａが、Ａ市に設置されている基地局２００であると判定し、基地局２００ａに配信情報を送信する。
【００４０】
通信制御部１３３は、さらに、特定部１３２が特定した第１配信地域に隣接する配信地域（以下、第２配信地域という場合がある）に設置されている基地局２００へ配信情報を送信する。通信制御部１３３は、例えば配信先指定情報テーブルにおける第２配信先指定情報としてのＥＡＩＤ（２）を参照することにより、特定部１３２が特定した第１配信地域に隣接する第２配信地域に設置されている基地局２００を特定することができる。
【００４１】
図５に示す例の場合、通信制御部１３３は、特定部１３２が第１配信地域としてＥＡＩＤ１００に対応するＡ市を特定した場合、ＥＡＩＤ（２）に１００が登録されている基地局２００ｂ、２００ｃが、Ａ市に隣接するＢ市に設置されている基地局２００であると判定し、基地局２００ｂ、２００ｃにも配信情報を送信する。一方、通信制御部１３３は、ＥＡＩＤ（１）にもＥＡＩＤ（２）にも１００が登録されていない基地局２００ｄには配信情報を送信しない。
【００４２】
通信制御部１３３は、特定部１３２が特定した配信地域に関連付けられた基地局２００として、当該配信地域の少なくとも一部を電波の送信可能範囲として含む基地局２００へ配信情報を送信してもよい。基地局２００による電波の送信可能範囲は、例えば携帯電話事業者の管理者の入力操作により、予め記憶部１２に基地局ＩＤに関連付けて記憶されている。
【００４３】
配信先指定情報テーブルに、基地局２００の少なくとも一つのセクタの一部が含まれているエリアに割り当てられたＥＡＩＤが含まれている場合、通信制御部１３３は、特定部１３２が特定した第１配信地域に隣接する第２配信地域に少なくとも一つのセクタの一部が含まれる基地局２００へ配信情報を送信する。例えば、基地局２００ｂのセクタの一部がＡ市に含まれている場合、通信制御部１３３は、Ａ市に宛てた配信情報を基地局２００ｂにも送信する。
【００４４】
このようにすることで、情報発信装置１が情報送信装置１００に送信した配信情報がＡ市宛てである場合に、Ａ市に隣接するＢ市に設置された基地局２００ｂ、２００ｃにも配信情報が配信される。したがって、Ａ市に設置された基地局２００ａではなく、Ｂ市に設置された基地局２００ｂ、２００ｃから電波を受ける位置にいる住民も、Ａ市宛ての配信情報を受信することができる。
【００４５】
なお、通信制御部１３３は、第１配信地域を指定するＥＡＩＤを含む配信情報と、第２配信地域を指定するＥＡＩＤを含む配信情報とを取得部１３１が取得した場合に、第１配信地域及び第２配信地域に設置されている基地局２００への配信情報の重複送信を行わないようにしてもよい。具体的には、通信制御部１３３は、取得部１３１が、Ａ市宛てのＥＡＩＤ１００を含む配信情報と、Ｂ市宛てのＥＡＩＤ１０１を含み、かつ当該配信情報と同じ内容の配信情報とを取得した場合、配信先指定情報テーブルにおいてＥＡＩＤ１００又はＥＡＩＤ１０１に関連付けられている基地局２００に１回だけ配信情報を送信する。通信制御部１３３は、例えば配信情報の内容に関連付けられている配信情報識別情報が一致するか否かに基づいて、Ａ市宛ての配信情報とＢ市宛ての配信情報とが同じ内容であるか否かを判定する。
【００４６】
このようにすることで、通信制御部１３３は、同一の内容の配信情報を一つの基地局２００から１回だけ送信するようにすることができる。したがって、携帯端末を使用する住民が同一の内容の配信情報を複数回受信してしまうことを防止できる。
【００４７】
［配信情報の送信動作］
図６は、制御部１３の動作手順を示すフローチャートである。以下、図６を参照しながら、制御部１３の動作の詳細について説明する。
【００４８】
通信部１１が情報発信装置１から配信情報を受信し、取得部１３１が通信部１１を介して配信情報を取得すると（Ｓ１）、特定部１３２は、取得部１３１が取得した配信先特定情報であるＥＡＩＤに基づいて、取得部１３１が取得した配信情報を配信する対象となる配信地域を特定する（Ｓ２）。特定部１３２は、配信地域を示す情報として、例えば、配信情報に含まれていたＥＡＩＤを通信制御部１３３に通知する。
【００４９】
通信制御部１３３は、図５に示した配信先指定情報テーブルを参照することにより、特定部１３２が特定した配信地域に対応するＥＡＩＤに関連付けられている基地局２００を特定する。通信制御部１３３は、特定部１３２が特定した配信地域が、ＥＡＩＤが１００のＡ市である場合、配信先指定情報テーブルのＥＡＩＤ（１）又はＥＡＩＤ（２）に、Ａ市に割り当てられたＥＡＩＤである１００が登録されている基地局２００を特定する（Ｓ３）。
【００５０】
図５に示した配信先指定情報テーブルにおいては、基地局２００ａ、２００ｂ、２００ｃに対応するＥＡＩＤ（１）又はＥＡＩＤ（２）に１００が登録されており、基地局２００ｄに対応するＥＡＩＤ（１）及びＥＡＩＤ（２）に１００が登録されていない。この場合、通信制御部１３３は、配信情報を送信する配信先となる基地局２００として、基地局２００ａ、２００ｂ、２００ｃを特定する。続いて、通信制御部１３３は、配信先として特定した基地局２００に配信情報を送信する（Ｓ４）。
【００５１】
［配信先指定情報テーブルの作成手順］
図７は、配信先指定情報テーブルを作成する手順を示すシーケンス図である。まず、記憶制御部１３４は、携帯電話事業者の管理者により入力された情報に基づいて、図４に示した配信エリア情報テーブルを作成する（Ｓ１１）。具体的には、記憶制御部１３４は、取得部１３１を介してＥＡＩＤと、ＥＡＩＤに対応する配信地域を特定するための緯度・経度情報を取得すると、ＥＡＩＤと緯度・経度情報とを関連付けて記憶部１２に記憶させる。
【００５２】
続いて、配信先指定情報テーブルに登録する対象となる基地局２００は、ＧＰＳ衛星から受信した電波に基づいて特定した位置情報、又は携帯電話事業者の管理者によって設定された位置情報を情報送信装置１００に送信する（Ｓ１２）。情報送信装置１００においては、取得部１３１が基地局２００から位置情報を取得すると、記憶制御部１３４が、ステップＳ１１で作成した配信エリア情報テーブルを参照し、基地局２００から取得した位置情報に対応する緯度・経度の位置が含まれる、第１配信地域のＥＡＩＤを特定する（Ｓ１３）。記憶制御部１３４は、特定したＥＡＩＤを第１配信先指定情報として配信先指定情報テーブルに登録する（Ｓ１４）。
【００５３】
続いて、記憶制御部１３４は、ステップＳ１１で作成した配信エリア情報テーブルを参照し、基地局２００が送信する電波が到達する範囲である送信範囲が含まれるエリアのうち、第１配信地域以外のエリアを特定する。記憶制御部１３４は、例えば基地局２００の送信範囲の緯度・経度を含むＥＡＩＤのうち、第１配信地域に対応するＥＡＩＤ以外のＥＡＩＤを第２配信地域のＥＡＩＤとして特定する（Ｓ１５）。
【００５４】
記憶制御部１３４は、特定したＥＡＩＤを第２配信先指定情報として配信先指定情報テーブルに登録する（Ｓ１６）。具体的には、記憶制御部１３４は、基地局２００ａに対応する第２配信先指定情報を登録する際、基地局２００ａが送信する電波がＢ市に届くことから、Ｂ市に対応するＥＡＩＤ１０１を第２配信先指定情報として登録する。
【００５５】
なお、記憶制御部１３４は、基地局２００が送信した配信情報を受信した携帯端末の位置に基づいて、記憶部１２が基地局２００に関連付けて記憶している電波の送信可能範囲を更新してもよい。具体的には、記憶制御部１３４は、各基地局２００を介して、各基地局２００が送信した配信情報を受信して受信応答を基地局２００に送信した携帯端末の位置を示す位置情報を取得し、取得した位置情報が含まれる範囲と送信可能範囲との差が所定の量以上ある場合に、送信可能範囲を更新する。
【００５６】
記憶制御部１３４は、例えば、配信情報に対する受信応答を送信した複数の携帯端末の位置を含む範囲を、新たな送信可能範囲として記憶部１２に記憶させる。このようにすることで、基地局２００の周辺の電波伝搬状況に変化が生じた場合に、携帯電話事業者が送信可能範囲を設定し直すことなく、基地局２００の送信可能範囲が適切な範囲に設定されるので、情報送信装置１００は、適切なエリアに配信情報を配信することが可能になる。
【００５７】
［情報送信装置１００による効果］
以上説明したように、情報送信装置１００においては、取得部１３１が、携帯端末の住民に配信するべき配信情報を情報発信装置１から取得し、特定部１３２が、配信情報に含まれるＥＡＩＤに基づいて、配信情報を配信する対象となる地域である配信地域を特定する。そして、通信制御部１３３は、特定部１３２が特定した配信地域に電波が届く可能性がある複数の基地局２００へ配信情報を送信する。
【００５８】
通信制御部１３３は、例えば、ＥＡＩＤに対応するＡ市のエリアに電波が届く可能性がある基地局２００ａ、２００ｂ、２００ｃに配信情報を送信する。このようにすることで、基地局２００ａ、２００ｂ、２００ｃがＡ市に宛てた配信情報を送信するので、Ａ市内に設置された基地局２００ａの電波が届かないエリアにいる住民にも配信情報が送信される。したがって、情報送信装置１００は、配信地域の境界付近等において緊急情報等の配信情報の配信漏れが生じることを抑制することができる。
【００５９】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００６０】
１  情報発信装置
１１  通信部
１２  記憶部
１３  制御部
１００  情報送信装置
１３１  取得部
１３２  特定部
１３３  通信制御部
１３４  記憶制御部
２００  基地局
【図１】
2019153907.tif 000003
【図２】
2019153907.tif 000004
【図３】
2019153907.tif 000005
【図４】
2019153907.tif 000006
【図５】
2019153907.tif 000007
【図６】
2019153907.tif 000008
【図７】
2019153907.tif 000009